(57)【要約】【課題】洋便器の便座に容易に取り付けることができ用便する人がお尻を乗せたときにお尻に指圧効果を与える便座カバーの提供。【解決手段】  洋便器の便座の上面に載せてこの便座の上面を隠すことができる形状であると共に下面がこの便座の上面に密着して位置ずれを起こさない粘着性を有しているシート部と、このシート部の上面の少なくともお尻が乗る部分に密集状態に一体に隆起していて角に丸みを付いた突起とからなる。【選択図】図１
0003126906.tif 000002
【実用新案登録請求の範囲】
【請求項１】
洋便器の便座に載せてこの便座を略隠せる形状であると共に下面が便座への粘着性を有しているシート部と、このシート部の上面の少なくともお尻が乗る部分に密集状態に一体に隆起していて角に丸みを付いた突起とからなることを特徴とする便座カバー。
【請求項２】
下面に凹部を有しこの凹部に洋便器の便座を収容して便座に対して位置ずれを起こさないシート部と、このシート部を前記便座に載せたときの下面の外側張出端と内側張出端に付設されていてこの便座の下側を通り係合するバンド部と、前記シート部の上面の少なくともお尻が乗る部分に密集状態に一体に隆起していて角に丸みを付いた突起とからなることを特徴とする便座カバー。
【請求項３】
下面が洋便器の便座に被さる凹部になっているシート部と、このシート部を前記便座に載せたときに下面の外側張出端にこの便座の下面に係合するフック部と、前記シート部の上面の少なくともお尻が乗る部分に密集状態に一体に隆起していて角に丸みを付いた突起とからなることを特徴とする便座カバー。
【考案の詳細な説明】
【技術分野】
【０００１】
本考案は、洋便器の便座をカバーする便座カバーに関する。
【背景技術】
【０００２】
従来、家庭において洋便器の便座をカバーするために靴下状の布地製の便座カバーが使用されている（特許文献１参照）。
また、便座への着脱が容易で、使用中の位置ずれを防ぐことも可能な便座カバーが提案されている（特許文献２参照）。
【特許文献１】特開２００１−２１２０２８号公報
【特許文献２】特開２００３−３３４１４６号公報
【考案の開示】
【考案が解決しようとする課題】
【０００３】
従来の便座カバーには、お尻を指圧する便座カバーはなかった。
本考案の目的は、洋便器の便座に容易に取り付けることができて用便する人がお尻を乗せたときにお尻に指圧効果を与える便座カバーを提供することにある。
【課題を解決するための手段】
【０００４】
上記課題を解決するため、本考案の便座カバーは、洋便器の便座に載せてこの便座を略隠せる形状であると共に下面が便座への粘着性を有しているシート部と、このシート部の上面の少なくともお尻が乗る部分に密集状態に一体に隆起していて角に丸みを付いた突起とからなることを特徴とする。
【０００５】
また、本考案の他の便座カバーは、下面に凹部を有しこの凹部に洋便器の便座を収容して便座に対して位置ずれを起こさないシート部と、このシート部を前記便座に載せたときの下面の外側張出端と内側張出端に付設されていてこの便座の下側を通り係合するバンド部と、前記シート部の上面の少なくともお尻が乗る部分に密集状態に一体に隆起していて角に丸みを付いた突起とからなることを特徴とする。
【０００６】
さらに、本考案の他の便座カバーは、下面が洋便器の便座に被さる凹部になっているシート部と、このシート部を前記便座に載せたときに下面の外側張出端にこの便座の下面に係合するフック部と、前記シート部の上面の少なくともお尻が乗る部分に密集状態に一体に隆起していて角に丸みを付いた突起とからなることを特徴とする。
【考案の効果】
【０００７】
本考案によれば、洋便器の便座に容易に取り付けることができて用便する人がお尻を乗せたときにお尻に指圧効果を与えることができる。
【考案を実施するための最良の形態】
【０００８】
本考案の便座カバーの実施形態について図面を用いて説明する。
図１は、第１実施形態の便座カバー１０の正面図である。図２は、便座カバー１０の洋便器５０の便座５１の上面に載せた状態を示す正面図である。
この便座カバー１０は、左右に二分割のシート部１１ａ、１１ｂと、このシート部１１ａ、１１ｂに設けられた突起１２とを有し、可撓性合成樹脂またはゴムから成形されている。
シート部１１ａ、１１ｂは、例えば数ｍｍの厚さを有し、洋便器５０の便座５１の上面に載せてこの便座５１の上面を隠すことができる形状であると共に下面が粘着性を有している。この粘着性は、強い接着性を有さず、シート部１１ａ、１１ｂを洋便器５０の便座５１の上面の立体形状に密着して位置ずれを起こさない程度であり洋便器５０の便座５１から剥がすことが容易である程度の粘着性であるのが良い。
突起１２は、例えば直径が５ｍｍ〜１０ｍｍ位で高さが５ｍｍ〜１０ｍｍ位の円柱状であり、上端が半球状に丸まっていて、このシート部１１ａ、１１ｂの上面の全面に均一に密集して一体に隆起している。突起１２は、お尻に傷がつかないように、角に丸みを付いた突起であれば足りる。
この実施形態の便座カバー１０は、シート部１１ａ、１１ｂの下面が粘着性を有しているので、シート部１１ａ、１１ｂを便座５１の上面に密着させることができて位置ずれを起こさないから座り易く便器内にシート部２１がずれ落ちる虞がない。そして、突起１２は、シート部１１の上面の全面に均一に密集して一体に隆起しているから、用便する人が長時間にわたりお尻を乗せていて痛くなってお尻を乗せていられなくなることがなく、適当が時間毎にお尻をずらして座り直せばお尻に指圧効果を与えることができる。
【０００９】
図３は、第２実施形態の便座カバー２０の正面図である。図４は、便座カバー２０の洋便器５０の便座５１の上面に載せた状態を示す正面図である。
この便座カバー２０は、左右に二分割のシート部２１ａ，２１ｂと、このシート部２１ａ、２１ｂに設けられた突起２２と、このシート部２１ａ、２１ｂに設けられたバンド部２３とを有し、合成樹脂またはゴムから成形されている。
シート部２１ａ，２１ｂは、洋便器５０の便座５１の上面に被さり、下面に凹部を有しこの凹部が便座５１を受け入れて嵌合密着し位置ずれを起こさないようになっている。そして、バンド部２３は、シート部２１ａ，２１ｂを便座５１に載せたとき、各シート部の下面の外側張出端と内側張出端に付設されていてこの便座５１の下側に通して係合し得るように構成されている。このバンド部２３は、フックによって係止できる構成、あるいはマジックファスナー（登録商標）によって係止できる構成を採用できる。
突起２２は、第１実施形態の突起１２と同様に形成されている。
この実施形態の便座カバー２０は、シート部２１を便座５１の上面に乗せて嵌合させ、便座５１の下面にバンド部２３を掛ける。これにより、シート部２１が便座５１に密着し位置ずれを起こさないから座り易く便器内にシート部２１がずれ落ちる虞がない。そして、突起２２は、シート部２１の上面の全面に均一に密集して一体に隆起しているから、用便する人が長時間にわたりお尻を乗せていて痛くなってお尻を乗せていられなくなることがなく、適当が時間毎にお尻をずらして座り直せばお尻に指圧効果を与えることができる。
【００１０】
図５は、第３実施形態の便座カバー３０の正面図である。図６は、便座カバー３０の洋便器５０の便座５１の上面に載せた状態を示す正面図である。
この便座カバー３０は、シート部３１と、突起３２と、フック部３３とを有し、合成樹脂またはゴムから成形されている。
シート部３１は、二分割形状ではなく、洋便器５０の便座５１の上面に被さり、下面に凹部を有しこの凹部が便座５１を受け入れて嵌合し位置ずれを起こさないようになっている。
突起３２は、第１の実施形態の突起１２と同様に形成されている。
フック部３３は、このシート部を前記便座５１に載せたときの外側張出部の下面にこの便座５１の下面に係合する。
この実施形態の便座カバー３０は、シート部３１を便座５１の上面に載せてスライドさせて嵌合させると共に、便座５１の下面にフック部３３を掛ける。これにより、シート部３１が便座５１に嵌合密着し位置ずれを起こさないから座り易い。そして、突起３２は、シート部３１の上面の全面に均一に密集して一体に隆起しているから、用便する人が長時間にわたりお尻を乗せていて痛くなってお尻を乗せていられなくなることがなく、適当が時間毎にお尻をずらして座り直せばお尻に指圧効果を与えることができる。
【００１１】
図７は、第４実施形態の便座カバー４０の正面図である。図８は、便座カバー４０の洋便器５０の便座５１の上面に載せた状態を示す正面図である。
この便座カバー４０は、左右に二分割のシート部４１ａ，４１ｂと、突起４２とを有している。シート部４１ａ，４１ｂを洋便器５０の便座５１に密着して保持させる手段は、第１実施形態では粘着性を利用し、第２実施形態ではバンドをを利用し、第３実施形態ではフックを利用しているが、第４実施形態の便座カバー４０に対していずれを適用しても良い。
この実施形態の突起４２は、第１乃至第３実施形態の突起１２，２２，３２とは相違している。この突起４２は、便器中心から放射状に延びる尾根状である。
【００１２】
本考案は、上記の実施形態に限定されるものでなく、要旨を逸脱しない範囲の種々の設計変更を含むものである。
突起４２は、例えばジグザグに屈曲する形状であっても良いし、便座５１の長手方向に長尺に形成されていても良い。
上記の各実施形態の便座カバーに従来の布地性の便座カバーを被せても良い。
【図面の簡単な説明】
【００１３】
【図１】本考案の第１実施形態の便座カバーの正面図である。
【図２】図１の便座カバーの洋便器の便座の上面に載せた状態を示す正面図である。
【図３】本考案の第２実施形態の便座カバーの正面図である。
【図４】図３の便座カバーの洋便器の便座の上面に載せた状態を示す正面図である。
【図５】本考案の第３実施形態の便座カバーの正面図である。
【図６】図５の便座カバーの洋便器の便座の上面に載せた状態を示す正面図である。
【図７】本考案の第４実施形態の便座カバーの正面図である。
【図８】図７の便座カバーの洋便器の便座の上面に載せた状態を示す正面図である。
【符号の説明】
【００１４】
１０、２０，３０，４０  便座カバー
５０  洋便器
５１  便座
１１ａ，１１ｂ、２１ａ，２１ｂ、４１ａ，４１ｂ、  シート部
１２、２２，３２，４２  突起
２３  バンド部
３３  フック部
【図１】
0003126906.tif 000003
【図２】
0003126906.tif 000004
【図３】
0003126906.tif 000005
【図４】
0003126906.tif 000006
【図５】
0003126906.tif 000007
【図６】
0003126906.tif 000008
【図７】
0003126906.tif 000009
【図８】
0003126906.tif 000010